(57)【要約】【課題】橋梁構造物等の構造部材に切欠き形成されているスカラップを塞いで、構造部材内に鳥や虫等の侵入を防止するためのスカラップ用閉塞具を提供する。【解決手段】スカラップを閉塞するスカラップ用閉塞具１１であって、該閉塞具１１は、本体部１２と、該本体部１２の両端部１３、１３に対称に設けられる一対の閉塞部１４、１４とを、軟質性の合成樹脂材で一体に形成し、前記本体部１２は、前記一対の閉塞部１４、１４を所定の間隔を開けて保持し、前記閉塞部１４は、水平状部１９と円弧状部２０とを有して扇状を呈すると共に、対向する両方の円弧状部２０、２０に沿ってそれぞれ近接させて形成し、且つ前記水平状部１９に沿ってフランジ部２２を形成した。【選択図】      図１
2008106465.tif 000002
【特許請求の範囲】
【請求項１】
スカラップを閉塞するスカラップ用閉塞具であって、
該閉塞具は、本体部と、該本体部の両端部に対称に設けられる一対の閉塞部とを、軟質性の合成樹脂材で一体に形成し、
前記本体部は、前記一対の閉塞部を所定の間隔を開けて保持し、
前記閉塞部は、水平状部と円弧状部とを有して扇状を呈すると共に、対向する両方の円弧状部に沿ってそれぞれ近接させて形成し、且つ前記水平状部に沿ってフランジ部を形成したことを特徴とするスカラップ用閉塞具。
【請求項２】
前記閉塞部の中央部位には、スリットが形成されていることを特徴とする請求項１に記載のスカラップ用閉塞具。
【請求項３】
前記合成樹脂材は、ＵＶ剤を含有させたことを特徴とする請求項１に記載のスカラップ用閉塞具。
【請求項４】
前記合成樹脂材は、透明又は半透明であることを特徴とする請求項１に記載のスカラップ用閉塞具。
【発明の詳細な説明】
【技術分野】
【０００１】
本発明は、スカラップ用閉塞具に関するものであり、更に詳しくは、橋梁構造物等の構造部材に切欠き形成されているスカラップを塞いで、構造部材内に鳥や虫等の侵入を防止するためのスカラップ用閉塞具に関するものである。
【背景技術】
【０００２】
従来、この種の閉塞具としては、次のような構成のスカラップ閉止具が知られている。この閉止具は、ボルト状のタイロッドと、このタイロッドの両端部に設けられる一対の閉止板とから構成されており、この閉止板の対向部位には、それぞれパッキンが設けられている（特許文献１参照）。
【０００３】
このような構成のスカラップ閉止具は、矩形状構造部材の両側壁面に対向して形成されている２箇所のスカラップを同時に閉止するときに使用する。その使用方法を説明すると、まず、第１の閉止板で一方のスカラップを閉止してから、閉止板の挿通孔にタイロッドを挿通して、その端部を他方のスカラップから突出させる。そして、タイロッドの端部に第２の閉止板の挿通孔を挿通させてから、第２の閉止板で他方のスカラップを閉止する。更に、タイロッドの端部をナットで締め付けて固着して、第１及び第２の閉止板で２箇所のスカラップを同時に閉止するのである。
【特許文献１】特開２００２−３７１５２１号公報
【発明の開示】
【発明が解決しようとする課題】
【０００４】
この従来例のスカラップ閉止具においては、単独で形成されているスカラップには使用できないという問題点を有している。
【０００５】
また、スカラップ閉止具は、タイロッドや閉止板やボルト等の多数の部材から構成されているので、製品コストが割高になるだけでなく、取り扱いが煩雑で、閉止作業に手間がかかり、作業能率が悪いという欠点も有している。
【０００６】
従って、従来例におけるスカラップ閉止具においては、単独で形成されているスカラップを閉塞できるようにすることと、取り扱いを簡単にして作業性を向上させること等に解決しなければならない課題を有している。
【課題を解決するための手段】
【０００７】
前記従来例の課題を解決する具体的手段として本発明は、スカラップを閉塞するスカラップ用閉塞具であって、該閉塞具は、本体部と、該本体部の両端部に対称に設けられる一対の閉塞部とを、軟質性の合成樹脂材で一体に形成し、前記本体部は、前記一対の閉塞部を所定の間隔を開けて保持し、前記閉塞部は、水平状部と円弧状部とを有して扇状を呈すると共に、対向する両方の円弧状部に沿ってそれぞれ近接させて形成し、且つ前記水平状部に沿ってフランジ部を形成したことを特徴とするスカラップ用閉塞具を提供するものである。
【０００８】
前記閉塞部の中央部位には、スリットが形成されていること、；
前記合成樹脂材は、ＵＶ剤を含有させたこと、；
前記合成樹脂材は、透明又は半透明であること、；
を含むものである。
【発明の効果】
【０００９】
本発明に係るスカラップ用閉塞具は、スカラップを閉塞するスカラップ用閉塞具であって、該閉塞具は、本体部と、該本体部の両端部に対称に設けられる一対の閉塞部とを、軟質性の合成樹脂材で一体に形成し、前記本体部は、前記一対の閉塞部を所定の間隔を開けて保持し、前記閉塞部は、水平状部と円弧状部とを有して扇状を呈すると共に、対向する両方の円弧状部に沿ってそれぞれ近接させて形成し、且つ前記水平状部に沿ってフランジ部を形成したことによって、一方の閉塞部を小さく折り曲げてスカラップに嵌め込んでから形状を復元し、両方の閉塞部で鋼板を挟む状態にしてスカラップを閉塞する。このように取り扱いが簡単で、作業がスムーズに行えて、作業能率が向上する。更に従来例のものとは異なり単独で形成されているスカラップを閉塞できる。
また、一対の閉塞部は対称に形成されているので、作業時に方向性を考慮する必要が無く、作業性が良い。
そして、復元性の良好な軟質性の合成樹脂材で形成されているので、鋼板にピッタリ密着して、一度取り付ければ脱落するおそれがない。
更に、スカラップ用閉塞具は合成樹脂製であるので、軽量で耐久性に優れ、製品コストが低いという種々の優れた効果を奏する。
【００１０】
また、閉塞部の中央部位には、スリットが形成されていることによって、溶接のバラツキ等で鋼板に段差が生じていても、その段差に対応してスリットが広がり、閉塞部がスカラップを閉塞して鋼鈑にピッタリ密着する。つまり、鋼板やスカラップの段差に対応した状態で、スカラップ用閉塞具をピッタリ取り付けることができるという優れた効果を奏する。
【００１１】
そして、合成樹脂材は、ＵＶ剤を含有させたことによって、紫外線の刺激が低減されることとなるので、スカラップ用閉塞具の耐候性又は耐久性が向上するという優れた効果を奏する。
【００１２】
更に、合成樹脂材は、透明又は半透明であることによって、スカラップ用閉塞具が透明又は半透明に形成されるので、光が透過可能である。その場合、例えば道路下の共同溝の構造部材に、スカラップ用閉塞具を使用すれば、スカラップが明かり取りの役目を果たすこととなるという優れた効果を奏する。
【発明を実施するための最良の形態】
【００１３】
次に、本発明の実施の形態について図面を参照しながら説明する。まず、図１から図６において、符号１１はスカラップ用閉塞具を示し、この閉塞具１１は、本体部１２と、この本体部１２の両端部１３、１３に対称に設けられる一対の閉塞部１４、１４とを、軟質性の合成樹脂材で一体に形成して構成される。
【００１４】
本体部１２は、図１及び図３に示すように、一対の垂下壁１５、１５と、この垂下壁１５の上端に段部１６を介して設けられる頂部１７とからなる。頂部１７は、底部が開口した箱形状に形成されており、その中央位置には、孔部１８が形成されている。また、垂下壁１５の下端部１５ａは、やや内側に傾斜して形成されている。そして、本体部１２の両端部１３、１３に閉塞部１４、１４が所定の間隔を開けて一体に設けられている。
【００１５】
閉塞部１４は、図１から図６に示すように、水平状部１９と円弧状部２０とを有して扇状を呈している。また、閉塞部１４は、図２及び図６に示すように、折曲線２１ａ、２１ｂ、２１ｃ、２１ｄを境にして内側に折曲している。そして、対向する両方の円弧状部２０、２０に沿ってそれぞれ所要間隔に近接させて形成している（図１及び図４から図６参照）。閉塞部１４をこのような形状に形成したことにより、スカラップに嵌め込んだときに、両方の閉塞部１４、１４がそれぞれ内側の鋼板に対して付勢されることとなり、鋼板にピッタリと密着する。
【００１６】
水平状部１９に沿った位置には、フランジ部２２が形成されている。このフランジ部２２は、スカラップの上部に配設された鋼材に密着させるために設けられている（図８参照）。
【００１７】
また、閉塞部１４の中央部位には、スリット２３が形成されている。このスリット２３によって、図７及び図８に示すように、溶接のバラツキ等で鋼板２４に段差２５が生じていても、その段差２５に対応してスリット２３が広がって、閉塞部１４がスカラップ２６を閉塞して鋼板２４にピッタリと密着する。つまり、鋼板２４やスカラップ２６の段差２５に対応した状態で、スカラップ用閉塞具１１をピッタリ取り付けることができるのである。
【００１８】
スカラップ用閉塞具１１を形成する合成樹脂材は、ＵＶ剤を含有させたものであることが望ましい。ＵＶ剤は紫外線に対する安定剤であり、紫外線の刺激が低減されるので、スカラップ用閉塞具１１の耐候性及び耐久性が向上する。
【００１９】
また、スカラップ用閉塞具１１を形成する合成樹脂材は、透明又は半透明であってもよい。その場合、スカラップ用閉塞具１１が透明又は半透明に形成されるので、光が透過可能であり、例えば道路下の共同溝の構造部材に、スカラップ用閉塞具１１を使用すれば、スカラップが明かり取りの役目を果たす。
【００２０】
以上のような構成のスカラップ用閉塞具１１は、一方の閉塞部１４を小さく折り曲げてスカラップ２６に嵌め込んでから形状を復元し、両方の閉塞部１４、１４で鋼板２４を挟む状態にしてスカラップ２６を閉塞する。そして、構造部材内に鳥や虫の侵入を防止するほか、防水や防塵の役目も果たす。
【図面の簡単な説明】
【００２１】
【図１】本発明に係るスカラップ用閉塞具の斜視図である。
【図２】本発明に係るスカラップ用閉塞具の正面図である。
【図３】図２の縦断面図である。
【図４】本発明に係るスカラップ用閉塞具の平面図である。
【図５】本発明に係るスカラップ用閉塞具の底面図である。
【図６】本発明に係るスカラップ用閉塞具の右側面図である。
【図７】本発明に係るスカラップ用閉塞具の使用状態を示す斜視図である。
【図８】本発明に係るスカラップ用閉塞具の使用状態を示す斜視図である。
【符号の説明】
【００２２】
１１  スカラップ用閉塞具
１２  本体部
１３  端部
１４  閉塞部
１５  垂下壁
１５ａ下端部
１６  段部
１７  頂部
１８  孔部
１９  水平状部
２０  円弧状部
２１ａ、２１ｂ、２１ｃ、２１ｄ  折曲線
２２  フランジ部
２３  スリット
２４  鋼板
２５  段差
２６  スカラップ
【図１】
2008106465.tif 000003
【図２】
2008106465.tif 000004
【図３】
2008106465.tif 000005
【図４】
2008106465.tif 000006
【図５】
2008106465.tif 000007
【図６】
2008106465.tif 000008
【図７】
2008106465.tif 000009
【図８】
2008106465.tif 000010